(57)【特許請求の範囲】
【請求項１】
架空の登場人物が登場する場面ごとに用意される文字データまたは画像データからなる場面情報と、複数の場面情報を前後に関係付けてイベントのストーリにするストーリ情報を用いて、利用者を架空の設定に浸らせる演出をイベントとして利用者端末またはスタッフ端末に送信することによって、ストーリ情報にしたがってイベントが進行する、そのようなイベントを管理するイベント提供システムサーバを用いたイベント提供システムであって、
前記イベント提供システムサーバには、前記場面に登場する前記架空の登場人物を役者担当スタッフが演じることを想定してあらかじめ作成され役者担当スタッフまたは利用者への演技指示を行う文字データからなる台本情報と、該台本情報と同じ場面において該台本情報に従って前記架空の登場人物を演じる役者担当スタッフの演技をあらかじめ撮像した画像データからなる撮像画像情報とを組にした複数の場面情報を記憶する場面情報記憶手段と、
前記複数の場面情報を前後に関係付けてひとつのストーリを構成する前記ストーリ情報を記憶するストーリ情報記憶手段と、
前記利用者端末から前記イベント提供システムサーバが前記イベントの開始要求信号情報を受け付けると、該開始要求信号情報に基づいて前記ストーリ情報記憶手段から前記ストーリ情報を読み出すストーリ情報取得手段と、
前記ストーリ情報取得手段によって読み出された前記ストーリ情報に基づいて、前記場面情報記憶手段から前記場面情報を読み出す場面情報取得手段と、
前記場面情報取得手段によって読み出された場面情報に含まれる前記台本情報を前記役者担当スタッフの持つスタッフ端末に送信する台本情報送信手段と、
前記台本情報送信手段によって送信された前記台本情報に対して、前記スタッフ端末から演技の対応不可を示す演技対応不可情報を受信すると、該演技対応不可情報が示す前記場面情報に含まれる前記撮像画像情報を前記場面情報記憶手段から読み出して前記ストーリ情報にしたがって利用者端末に送信するための撮像画像情報付与割当手段とを有し、
前記撮像画像情報が読み出された前記場面については該付与された前記撮像画像情報を、前記撮像画像情報が読み出されていない前記場面については利用者が前記架空の登場人物を演ずる役者担当スタッフの演技に対応するために、当該役者担当スタッフがいる場
所への移動を指示する場所移動指示情報を、前記利用者の持つ利用者端末に送信するイベント提供システムサーバを用いたイベント提供システム。
【請求項２】
前記イベント提供システムサーバの前記場面情報取得手段は、前記ストーリ情報によって関係付けられた先頭の前記場面情報から一つまたはそれに続く複数の前記場面情報を読み出し、前記利用者端末に前記スタッフ端末からの演技対応不可情報に基づいた前記撮像画像情報または利用者が前記架空の登場人物を演ずる役者担当スタッフの演技に対応するための前記場所移動指示情報の送信を完了すると、前記場面情報取得手段は、送信完了に応じて次の前記場面情報を送信するために該場面情報を前記場面情報記憶手段から読み出すことを特徴とする請求項１に記載のイベント提供システムサーバを用いたイベント提供システム。
【請求項３】
架空の登場人物が登場する場面ごとに用意される文字データまたは画像データからなる場面情報と、複数の場面情報を前後に関係付けてイベントのストーリにするストーリ情報を用いて、利用者を架空の設定に浸らせる演出をイベントとして利用者端末またはスタッフ端末に送信することによって、ストーリ情報にしたがってイベントが進行する、そのようなイベントを管理するイベント提供システムサーバを用いたイベント提供システムであって、
前記イベント提供システムサーバには、前記場面に設定された時間帯を示す時間帯情
報と、前記場面に登場する前記架空の登場人物を役者担当スタッフが演じることを想定してあらかじめ作成され役者担当スタッフまたは利用者への演技指示を行う文字データからなる台本情報と、該台本情報と同じ場面において該台本情報に従って前記架空の登場人物を演じる役者担当スタッフの演技をあらかじめ撮像した画像データからなる撮像画像情報とを組にした複数の場面情報を記憶する場面情報記憶手段と、
前記複数の場面情報を前後に関係付けてひとつのストーリを構成する前記ストーリ情報を記憶するストーリ情報記憶手段と、
前記前記イベント提供システムサーバが前記利用者端末から前記イベントの開始要求信号情報を受け付けると、該開始要求信号情報に基づいて前記ストーリ情報記憶手段から前記ストーリ情報を読み出すストーリ情報取得手段と、
前記ストーリ情報取得手段によって読み出された前記ストーリ情報に基づいて、前記場面情報記憶手段から前記場面情報を読み出す場面情報取得手段と、
前記場面情報取得手段によって読み出された場面情報に含まれる前記時間帯情報を読み出して、前記時間帯情報が実際のイベントが提供される時間帯と一致しているか否かを判断する時間帯判断手段と、
前記時間帯判断手段によって時間帯が一致していないと判断された前記場面情報については、その前記場面情報に含まれる前記撮像画像情報を前記場面情報記憶手段から読み出して前記ストーリ情報にしたがって利用者端末に送信するための撮像画像情報割当手段と、
前記時間帯判断手段によって時間帯が一致していると判断された前記場面情報については、その前記場面情報に含まれる前記台本情報を前記場面情報記憶手段から読み出して前記役者担当スタッフの持つスタッフ端末にそれぞれ送信する台本情報送信手段とを有し、
前記台本情報送信手段によって送信された前記台本情報に対して、前記スタッフ端末から演技の対応不可を示す演技対応不可情報を受信すると、前記撮像画像情報割当手段は該演技対応不可情報が示す前記場面情報に含まれる前記撮像画像を前記場面情報記憶手段から読み出し、
前記撮像画像情報が読み出された前記場面についてはその撮像画像情報を、前記撮像画像情報が読み出されていない前記場面については利用者が前記架空の登場人物を演ずる役者担当スタッフの演技に対応するために、当該役者担当スタッフがいる場所への移動を指示する場所移動指示情報を、ストーリ情報に基づいて前記利用者の持つ利用者端末に送信するイベント提供システム。
【請求項４】
前記時間帯情報は、朝方／昼間／夕方／夜間／不特定の時間帯に区分けされており、
前記時間帯判断手段は、前記時間帯情報が不特定の時間帯である前記場面情報については、実際にイベントが提供される時間帯が朝方／昼間／夕方／夜間のいずれであっても時間帯は一致していると判断することを特徴とする請求項３に記載のイベント提供システム。
【請求項５】
前記スタッフ端末または利用者端末には通信アドレスが割り当てられており、各スタッフ端末、利用者端末またはイベント提供システムサーバとの通信が可能となっており、さらに位置情報提供手段から得られた位置情報を前記イベント提供システムサーバに送信可能となっており、
前記イベント提供システムサーバにおいて、前記役者担当スタッフが演技をする場所や役柄に関する要件を必要とする場合には、前記場面情報に、演技をする場所に関する要件情報または演じる役者担当スタッフの役柄に関する要件情報を付与し、
前記イベント提供システムサーバには、さらに、前記役者担当スタッフが適した役柄を示す役柄情報、およびその前記役者担当スタッフが実際にどの場所にいるかを示す前記スタッフ端末から受信した位置情報に基づく行動範囲情報を前記スタッフ端末への送信アドレスとともに役者担当スタッフ情報としてあらかじめ記憶する役者担当スタッフ情報記憶部と、
前記場面情報取得手段によって取得された場面情報に含まれる前記要件情報を要件情報記憶手段から読み出して該要件情報に基づいて前記役者担当スタッフ情報記憶部から要件の適合する前記役者担当スタッフの適合判断結果として、その前記役者担当スタッフの持つ前記スタッフ端末の送信アドレスを抽出する役者担当スタッフ要件適合判断手段とを有し、
前記イベント提供システムサーバは、前記役者担当スタッフ要件適合判断手段が、役柄に相応しい前記役者担当スタッフの持つ前記スタッフ端末の前記送信アドレスを抽出した場合には、前記台本情報送信手段がその前記送信アドレスに前記台本情報を送信し、前記送信アドレスを何も抽出しなかった場合には、相応しい前記役者担当スタッフが居なかったと見なして、前記撮像画像情報割当手段がその前記場面情報に含まれる前記撮像画像情報を前記ストーリ情報にしたがって読み出すことを特徴とする前記１〜４のいずれかに記載のイベント提供システム。
【請求項６】
前記イベント提供システムサーバが、前記イベントの開始要求情報とともに前記利用者端末から位置情報を受信すると、
前記イベント提供システムサーバは、前記役者担当スタッフ要件適合判定手段に、受け付けた該現在位置情報に基づいてスタッフ端末からの位置情報と対比しさせ、当該スタッフ端末を所持する役者担当スタッフが距離的に対応可能か否かの適合判断を行わせることを特徴とする請求項５に記載のイベント提供システム。
【請求項７】
架空の登場人物が登場する場面ごとに用意される文字データまたは画像データからなる場面情報と、複数の場面情報を前後に関係付けてイベントのストーリにするストーリ情報を用いて、利用者を架空の設定に浸らせる演出をイベントとして利用者端末またはスタッフ端末に送信することによって、ストーリ情報にしたがってイベントが進行する、そのようなイベントを管理するイベント提供システムサーバを用いたイベント提供方法であって、
前記イベント提供システムサーバの演算部は、前記場面に登場する前記架空の登場人物を役者担当スタッフが演じることを想定してあらかじめ作成され役者担当スタッフまたは利用者への演技指示を行う文字データからなる台本情報と、該台本情報と同じ場面にお
いて該台本情報に従って前記架空の登場人物を演じる役者担当スタッフの演技をあらかじめ撮像した画像データからなる撮像画像情報とを組にした複数の場面情報を場面情報記憶手段に記憶させ、
前記演算部は、前記複数の場面情報を前後に関係付けてひとつのストーリを構成する前記ストーリ情報をストーリ情報記憶手段に記憶させ、
前記演算部が前記利用者端末から前記イベントの開始要求信号情報を受け付けると、前記演算部は、該開始要求信号情報に基づいて前記ストーリ情報記憶手段から前記ストーリ情報を読み出し、取得した前記ストーリ情報に基づいて前記場面情報記憶手段から前記場面情報を読み出し、
前記演算部は、前記で読み出された場面情報に含まれる前記台本情報を前記役者担当スタッフの持つスタッフ端末に送信して、
前記演算部が、前記で送信した前記台本情報に対して、前記スタッフ端末から演技の対応不可を示す演技対応不可情報を受信すると、前記演算部は、該演技対応不可情報が示す前記場面情報に含まれる前記撮像画像情報を前記場面情報記憶手段から読み出して、
前記演算部は、前記で読み出された撮像画像情報を前記ストーリ情報にしたがって前記利用者端末に送信し、前記撮像画像情報が読み出されなかった前記場面については利用者が前記架空の登場人物を演ずる役者担当スタッフの演技に対応するために当該役者担当スタッフがいる場所への移動を指示する場所移動指示情報を、前記利用者の持つ利用者端末に送信するイベント提供システムサーバを用いたイベント提供方法。
【請求項８】
前記イベント提供システムサーバの前記演算部が前記場面情報記憶手段から前記場面情報を読み出す際には、前記ストーリ情報によって関係付けられた先頭の前記場面情報から一つまたはそれに続く複数の前記場面情報を読み出し、前記利用者端末に前記スタッフ端末からの演技対応不可情報に基づいた前記撮像画像情報または利用者が前記架空の登場人物を演ずる役者担当スタッフの演技に対応するための前記場所移動指示情報を送信完了すると、送信完了に応じて次の前記場面情報を送信するために前記場面情報記憶手段から読み出すことを特徴とする請求項７に記載のイベント提供システムサーバを用いたイベント提供方法。
【請求項９】
架空の登場人物が登場する場面ごとに用意される文字データまたは画像データからなる場面情報と、複数の場面情報を前後に関係付けてイベントのストーリにするストーリ情報を用いて、利用者を架空の設定に浸らせる演出をイベントとして利用者端末またはスタッフ端末に送信することによって、ストーリ情報にしたがってイベントが進行する、そのようなイベントを管理するイベント提供システムサーバを用いたイベント提供方法であって、
前記イベント提供システムサーバの演算部は、前記場面に設定された時間帯を示す時間帯情報と、前記場面に登場する前記架空の登場人物を役者担当スタッフが演じることを想定してあらかじめ作成され役者担当スタッフまたは利用者への演技指示を行う文字データからなる台本情報と、該台本情報と同じ場面において該台本情報に従って前記架空の登場人物を演じる役者担当スタッフの演技をあらかじめ撮像した画像データからなる撮像画像情報とを組にした複数の場面情報を場面情報記憶手段に記憶させ、
前記演算部は、前記複数の場面情報を前後に関係付けてひとつのストーリを構成する前記ストーリ情報をストーリ情報記憶手段に記憶させ、
前記イベント提供システムサーバの演算部が前記利用者端末から前記イベントの開始要求信号情報を受け付けると、前記演算部は、該開始要求信号情報に基づいて前記ストーリ情報記憶手段から前記ストーリ情報を読み出して、該ストーリ情報に基づいて前記場面情報記憶手段から前記場面情報を読み出し、
前記演算部は、前記場面情報に含まれる前記時間帯情報を読み出して、前記時間帯情報が実際のイベントが提供される時間帯と一致しているか否かを時間帯判断手段によって判断させ、
前記時間帯判断手段によって時間帯が一致していないと判断された前記場面情報については、前記演算部は、その前記場面情報に含まれる前記撮像画像情報を前記場面情報記憶手段から読み出し、
前記時間帯判断手段によって時間帯が一致していると判断された前記場面情報については、前記演算部は、その前記場面情報に含まれる前記台本情報を前記場面情報記憶手段から読み出して前記役者担当スタッフの持つスタッフ端末に送信し、
前記演算部が、前記で送信した前記台本情報に対して、前記スタッフ端末から演技の対応不可を示す演技対応不可情報を受信すると、前記演算部は、前記撮像画像情報割当手段に該演技対応不可情報が示す前記場面情報に含まれる前記撮像画像を前記場面情報記憶手段から読み出し、
前記演算部は前記ストーリ情報にしたがって、前記撮像画像情報を読み出した前記場面については該付与されたその撮像画像情報を、前記撮像画像情報が読み出されていない前記場面については利用者が前記架空の登場人物を演ずる役者担当スタッフの演技に対応するために、当該役者担当スタッフがいる場所への移動を指示する場所移動指示情報を、前記利用者の持つ利用者端末に送信するイベント提供システムサーバを用いたイベント提供方法。
【請求項１０】
前記時間帯情報は、朝方／昼間／夕方／夜間／不特定の時間帯に区分けされており、
前記演算部は、前記時間帯情報が不特定の時間帯である前記場面情報については、実際にイベントが提供される時間帯が朝方／昼間／夕方／夜間のいずれであっても時間帯は一致していると前記時間帯判断手段に判断させることを特徴とする請求項９に記載のイベント提供システムサーバを用いたイベント提供方法。
【請求項１１】
前記スタッフ端末または利用者端末には通信アドレスが割り当てられており、各スタッフ端末、利用者端末またはイベント提供システムサーバとの通信が可能となっており、さらに位置情報提供手段から得られた位置情報を前記イベント提供システムサーバに送信可能となっており、
前記イベント提供システムサーバの前記演算部は、前記役者担当スタッフが演技をする場所や役柄に関する要件を必要とする場合には、前記場面情報に、演技をする場所に関する要件情報または演じる役者担当スタッフの役柄に関する要件情報を要件情報記憶手段にあらかじめ記憶しておき、
前記演算部は、前記役者担当スタッフが適した役柄を示す役柄情報、およびその前記役者担当スタッフが実際にどの場所にいるかを示す前記スタッフ端末から受信した位置情報に基づく行動範囲情報を前記スタッフ端末への送信アドレスとともに役者担当スタッフ情報として役者担当スタッフ情報記憶部にあらかじめ記憶させ、
前記演算部は、前記場面情報に含まれる前記要件情報を前記要件情報記憶手段から読み出して該要件情報に基づいて前記役者担当スタッフ情報記憶部から要件の適合する前記役者担当スタッフの適合判断結果として、その前記役者担当スタッフの持つ前記スタッフ端末の送信アドレスを役者担当スタッフ要件適合判断手段によって抽出させ、
前記役者担当スタッフ要件適合判断手段が、役柄に相応しい前記役者担当スタッフの持つ前記スタッフ端末の前記送信アドレスを抽出した場合には、前記演算部は、抽出した前記送信アドレスに前記台本情報を送信し、前記送信アドレスを何も抽出しなかった場合には、相応しい前記役者担当スタッフが居なかったと見なして、前記撮像画像情報割当手段にその前記場面情報に含まれる前記撮像画像情報を前記ストーリ情報にもとづいて読み出させることを特徴とする前記７〜１０のいずれかに記載のイベント提供システムサーバを用いたイベント提供方法。
【請求項１２】
前記演算部は、前記イベントの開始要求情報とともに前記利用者端末の現在位置を示す
現在位置情報を受け付けると、前記役者担当スタッフ要件適合判定手段に、受け付けた該現在位置情報をに基づいてスタッフ端末からの受信した位置情報と対比し、当該スタッフ端末を所持する役者担当スタッフが距離的に対応可能か否かの適合判断をさせることを特徴とする請求項１１に記載のイベント提供システムサーバを用いたイベント提供方法。
【発明の詳細な説明】
【０００１】
【発明の属する技術分野】
本発明は、イベント提供、特に架空の設定情報を用いて、利用者を架空の設定に浸らせる演出をイベントとして提供するイベント提供システム及び方法に関する。
【０００２】
【従来の技術】
利用者端末をバーチャルな世界であるコンピュータゲームに取り込む先行技術として、特開２００２−２２４４４７号公報が挙げられる。この先行技術は、ディスプレイに表示された道具一覧の中に携帯電話が含まれており、利用者が入力部を操作することによって選択された携帯電話に仮想現実（バーチャルリアリティ）で存在する相手先を示す架空の電話番号を入力することにより、あたかも携帯電話で会話をしているかの雰囲気を演出するものである。ただし、これは現実世界で利用者が普段利用している携帯電話そのものを使うものではない。
【０００３】
利用者端末を用いて現実世界における利用者の行動を仮想現実に取り込む先行技術として、特開２００２−０４９６８１号公報が挙げられる。この先行技術は、ゲームの進行に従って現実世界を実際に移動する利用者が、現実世界に実在する店舗や施設などから情報を取得し、利用者が携帯する利用者端末に入力することによって、現実世界における利用者の行動を仮想現実のゲームの進行に取り込むものである。ただし、これは利用者に提供する情報に人に喋らした情報を含むものでなく、あらかじめ用意した情報でゲームを進行するものである。
【０００４】
【特許文献１】
特開２００２−２２４４４７号公報
【特許文献２】
特開２００２−０４９６８１号公報
【０００５】
【発明が解決しようとする課題】
通信インフラの発達と携帯電話の急速な普及に伴って、今や携帯電話は我々の生活に欠かせない道具になっている。その携帯電話にバーチャルリアリティを追求しようとしているゲーム業界が目をつけた。
【０００６】
そもそもバーチャルリアリティを追求するゲームは、あらかじめ用意された仮想空間の中に自らを登場人物として投影し、その登場人物に対して利用者が何らかの入力装置を用いて指示を与えたり、仮想空間内で設定された選択肢を利用者が選択したりすることによって、利用者があたかも仮想空間の中を自分の意志で自由に行動しているかのような、いわゆる擬似的な体験をさせることから始まっている。
【０００７】
ところが、これらの仮想空間は利用者にとって感覚的に自らと隔離された箱庭のようなものでしかなく、どれだけ現実味を帯びた設定や演出をしてもディスプレイなどの表示装置に対してキーボードやマウス、コントローラなどの入力装置を介して操作していては、現実世界とは別物であると利用者に思われても致し方なかった。つまり、どれだけの現実味を帯びた設定や演出をどこまで工夫したとしても利用者にとっては、単に仮想空間内にいる「つもり」でしかないという問題点があった。
【０００８】
そこで、利用者が普段利用している利用者端末をゲームの入出力装置に用いて、利用者が実際にいる現実世界の場所（現在地）を取得して、その現在地周辺の地図を利用者端末に表示して、地図上にあらかじめ配置されたイベントスポット（イベントが発生する場所）に誘導することによって、現実世界を実際に移動する利用者にイベントスポットに関連したイベントの実行を促すゲームが発明されている。このゲームでは、利用者端末に表示された地図は現実世界を表わす地図ではあるが、利用者端末上で発生するイベントは一種の仮想現実であり、現実世界に仮想現実を取り込むことで両者を融合させようとしている。
【０００９】
ただし、これらのイベントは常に利用者端末を介してのやりとりである。実はすべての情報が利用者端末を介して利用者に伝えられることが問題であった。なぜなら、利用者が楽しむイベントの中に人が介在することがなく、すべての情報が利用者端末を介して伝えられるのであるならば、どれだけ周到に用意された仮想現実であっても、結局は味気ないものになってしまうからである。ＩＴ技術が進歩して、世の中がどんなに便利になったとしても、人は人とのふれあいなくして生きてはいけない。それは人を楽しませるイベントであっても同様である。
【００１０】
そこで、発明者は利用者に提供するイベントの中で架空の登場人物を演じる役者担当スタッフを活用する仕組みを考案した。役者担当スタッフを活用すると、イベント提供システムが提供する架空の設定に現実味を持たせることが出来る。ただし、イベントのストーリを構成するすべての場面において常に役者担当スタッフを用意できるとは限らない。役者担当スタッフにも都合というものがあり、この都合は絶えず変化する。つまり、役者担当スタッフを手配できなかった穴を補う仕組みが必要であった。利用者が役者担当スタッフの元を訪れたとしても、肝心の役者担当スタッフが不在であったり、演技をしてくれる状態でなかったりしたらどうにもならない。実在する人を一時的であれ、常時であれ、役者担当スタッフとして活用するためには、役者担当スタッフを手配する仕組みと手配できなかった穴を補う仕組みが必要であった。
【００１１】
【課題を解決するための手段】
本発明の本質は、架空の登場人物を演じる役者担当スタッフをイベントの一部として活用するイベント提供システムにおいて、役者担当スタッフを手配できなかった穴をあらかじめ用意した撮像画像情報で補うことである。この撮像画像情報は、スタッフ端末を介して役者担当スタッフに送信する台本情報と演技内容が同じ台本情報に従って架空の登場人物を演じる役者担当スタッフの演技をあらかじめ撮像した画像情報であって、この撮像画像情報を利用者の持つ利用者端末に送信することで役者担当スタッフの穴を補うことが出来る。
【００１２】
本発明は、架空の登場人物が登場する場面ごとに用意される場面情報と、該場面情報をつないでイベントのストーリにするストーリ情報を用いて、利用者を架空の設定に浸らせる演出をイベントとして提供するために、：前記場面に登場する前記架空の登場人物を役者担当スタッフが演じることを想定してあらかじめ作成された台本情報と、前記場面において該台本情報に従って前記架空の登場人物を演じる役者担当スタッフの演技をあらかじめ撮像した撮像画像情報とを組にした前記場面情報を記憶する場面情報記憶手段と、：前記場面情報をつないでひとつのストーリを構成する前記ストーリ情報を記憶するストーリ情報記憶手段と、：前記イベントの開始要求を受け付けると、該開始要求に基づいて前記ストーリ情報記憶手段から前記ストーリ情報を取得するストーリ情報取得手段と、前記ストーリ情報取得手段によって取得された前記ストーリ情報に基づいて、前記場面情報記憶手段から前記場面情報を取得する場面情報取得手段と、：前記場面情報取得手段によって取得された場面情報に含まれる前記台本情報を前記役者担当スタッフの持つスタッフ端末に送信する台本情報送信手段と、：前記台本情報送信手段によって送信された前記台本情報に対して、前記スタッフ端末から演技の対応不可を示す演技対応不可情報を受信すると、該演技対応不可情報が示す前記場面情報に含まれる前記撮像画像情報を前記ストーリ情報に割り当てる撮像画像情報割当手段とを有し、：前記撮像画像情報が割り当てられた前記ストーリ情報に基づいて、前記撮像画像情報が割り当てられている前記場面については割り当てられた前記撮像画像情報を、前記撮像画像情報が割り当てられていない前記場面については前記架空の登場人物を演ずる役者担当スタッフがいる場所への移動を指示する場所移動指示情報を、前記利用者の持つ利用者端末に送信するイベント提供システムとしたものである。
【００１３】
また、前記場面情報取得手段は、前記ストーリ情報がつなぐ先頭の前記場面情報から一つまたは複数の前記場面情報を取得し、前記利用者端末に前記撮像画像情報または前記場所移動指示情報を送信完了すると、送信完了に応じて次の前記場面情報を取得してもよい。
【００１４】
イベント提供システムにおける撮像画像を割り当てる処理は、すべての場面情報を一度に処理してもよいし、場面情報ごとにまたはストーリを分割するいくつかの場面情報（場面情報群）ごとにまとめて処理をしてもよい。すべての場面情報を一度に処理してイベント開始時に役者担当スタッフを確定させておくとイベント提供システムの負担が軽くなる。ただし、役者担当スタッフを確定させると、その出番が来るまで役者担当スタッフは待機していなくてはならない。また、イベント開始時には都合が悪くても、時間の経過とともに役者担当スタッフの都合がよくなることもある。そこで、イベント提供システムとしては処理回数が増え、より複雑な処理によって負担が増加してしまうことにはなるが、提供するイベントの進行に合わせて役者担当スタッフを手配する方が、効率のよい役者担当スタッフ活用が可能となる。どちらの仕組みを採用するかは、あらかじめ選択してあっても、提供するイベントに応じて都度選択してもよい。
【００１５】
場面情報ごとにまたはストーリを分割するいくつかの場面情報（場面情報群）ごとにまとめて処理するには、場面情報取得手段が取得する場面情報を一つまたは複数にして、利用者端末に撮像情報または場所移動指示情報を送信したら、その送信完了に応じて次の場面について処理を実行することにより、場面情報ごとにまたは（ストーリを分割していくつかの場面情報をまとめた）場面情報群ごとに処理を実行することが出来る。
【００１６】
また、役者担当スタッフが（スタッフ端末を介して与えられた）台本情報によっていくら迫真の演技をしたとしても、時間帯に影響される場面では実際の時間帯とズレてしまうと、肝心の雰囲気を台無しにすることになり、利用者に違和感を与えてしまうものである。場面情報にふさわしい時間帯が実際にイベントが提供される時間帯と異なる場合には、撮像画像情報を用いる方がよい。
【００１７】
そこで、前記場面に設定された時間帯を示す時間帯情報と、前記場面に登場する前記架空の登場人物を役者担当スタッフが演じることを想定してあらかじめ作成された台本情報と、前記場面において該台本情報に従って前記架空の登場人物を演じる役者担当スタッフの演技をあらかじめ撮像した撮像画像情報とを組にした前記場面情報を記憶する場面情報記憶手段と、前記場面情報をつないでひとつのストーリを構成する前記ストーリ情報を記憶するストーリ情報記憶手段と、前記イベントの開始要求を受け付けると、該開始要求に基づいて前記ストーリ情報記憶手段から前記ストーリ情報を取得するストーリ情報取得手段と、前記ストーリ情報取得手段によって取得された前記ストーリ情報に基づいて、前記場面情報記憶部から前記場面情報を取得する場面情報取得手段と、前記場面情報取得手段によって取得された場面情報に含まれる前記時間帯情報をそれぞれ取得して、取得したそれぞれの前記時間帯情報が実際にイベントが提供される時間帯と一致しているか否かを判断する時間帯判断手段と、前記時間帯判断手段によって時間帯が一致していないと判断された前記場面情報については、その前記場面情報に含まれる前記撮像画像情報を前記ストーリ情報に割り当てる撮像画像情報割当手段と、前記時間帯判断手段によって時間帯が一致していると判断された残りの前記場面情報については、その前記場面情報に含まれる前記台本情報を前記役者担当スタッフの持つスタッフ端末にそれぞれ送信する台本情報送信手段とを有し、前記台本情報送信手段によって送信された前記台本情報に対して、前記スタッフ端末から演技の対応不可を示す演技対応不可情報を受信すると、前記撮像画像情報割当手段は該演技対応不可情報が示す前記場面情報に含まれる前記撮像画像情報を前記ストーリ情報にさらに割り当て、前記撮像画像情報が割り当てられた前記ストーリ情報に基づいて、前記撮像画像情報が割り当てられている前記場面については割り当てられた前記撮像画像情報を、前記撮像画像情報が割り当てられていない前記場面については前記架空の登場人物を演ずる役者担当スタッフがいる場所への移動を指示する場所移動指示情報を、前記利用者の持つ利用者端末に送信する。
【００１８】
つまり、場面情報に時間帯情報が設定してある場合には、実際にイベントが提供される時間帯と一致しているかどうかを判断してから、スタッフ端末に台本情報を送信するとよい。なお、このようにイベントが提供される時間帯を考慮する場合でも同様に、すべての場面情報について一度に処理を実行してもよいし、場面情報ごとまたは場面情報群ごとに処理を実行してもよい。
【００１９】
前記時間帯情報は、朝方／昼間／夕方／夜間／不特定の時間帯に区分けされており、前記時間帯判断手段は、前記時間帯情報が不特定の時間帯である前記場面情報については、実際にイベントが提供される時間帯が朝方／昼間／夕方／夜間のいずれであっても時間帯は一致していると判断するとよい。
【００２０】
このように時間帯情報は、屋外の雰囲気が異なる時間帯で区分けされているとよく、具体的には朝方／昼間／夕方／夜間であり、時間帯に影響されない場面情報には不特定を示す時間帯情報を付与しておくとよい。
【００２１】
また、スタッフ端末から演技対応不可情報でなく、演技の対応可能か否かを示す演技対応可能／不可情報として受信情報を受け付けてもよい。スタッフ端末から演技対応不可情報を受信した場合には、同様に撮像画像割当手段が演技対応不可情報に対応する場面情報に含まれる撮像画像をストーリ情報に割り当てる。スタッフ端末から演技対応可能情報を受信した場合には、演技対応可能情報に対応する場面はすでにスタッフ端末に送信済みの台本情報に基づいて役者担当スタッフが演技してくれる。なお、台本情報を送信した後にスタッフ端末から演技対応可能／不可情報の返信がなく、あらかじめ定める時間が経過したと判断したら、スタッフ端末から演技対応不可情報を受信したと見なして、同様に撮像画像割当手段によって演技対応不可情報に対応する撮像画像をストーリ情報に割り当てるとよい。
【００２２】
また、前記役者担当スタッフが演技をする場所や役柄に関する要件を必要とする場合には、前記場面情報に、演技をする場所に関する要件情報または演じる役者担当スタッフの役柄に関する要件情報が付与されており、前記役者担当スタッフが適した役柄を示す役柄情報、およびその前記役者担当スタッフが実際にどの場所にいるかを示す行動範囲情報を前記スタッフ端末の送信アドレスとともに役者担当スタッフ情報としてあらかじめ記憶する役者担当スタッフ情報記憶部と、前記場面情報取得手段によって取得された場面情報に含まれる前記要件情報を取得して、取得した前記要件情報に基づいて前記役者担当スタッフ情報記憶部から要件の適合する前記役者担当スタッフの適合判断結果として、その前記役者担当スタッフの持つ前記スタッフ端末の送信アドレスを抽出する役者担当スタッフ要件適合判断手段とをさらに有し、前記役者担当スタッフ要件適合判断手段が、役柄に相応しい前記役者担当スタッフの持つ前記スタッフ端末の前記送信アドレスを抽出した場合には、前記台本情報送信手段がその前記送信アドレスに前記台本情報を送信し、前記送信アドレスを何も抽出しなかった場合には、相応しい前記役者担当スタッフが居なかったと見なして、前記撮像画像情報割当手段がその前記場面情報に含まれる前記撮像画像情報を前記ストーリ情報に割り当てるようにしてもよい。
【００２３】
また、前記イベントの開始要求とともに前記利用者端末の現在位置を示す現在場所情報を受け付けると、前記役者担当スタッフ要件適合判定手段は、受け付けた該現在場所情報も含めて要件の適合判断をするようにしてもよい。
【００２４】
このように、台本情報を送信するのにふさわしい役者担当スタッフが記憶部（データベース）に登録されていなかった場合にも、役者担当スタッフの替わりに撮像画像情報を用いるとよい。なお、役者担当スタッフに課せられる要件情報のうち、演技をする場所に関する要件情報については、スタッフ端末に到着時刻とその到着時間までに目指すべき場所（目的地）を指示する指示情報（役者担当スタッフ５に対する場所移動指示情報）を送信することによって、役者担当スタッフの位置を動かすことも可能である。また、利用者端末の現在場所情報を取得することによって利用者のいる場所が把握できれば、役者担当スタッフを先回りさせることも容易になる。なお、スタッフ端末からも同様に現在場所情報を取得しておくとよい。このような指示情報を用いると少ない役者担当スタッフを効率よく動かして、低コストで多くの利用者を楽しませるイベントが提供できるようになる。
【００２５】
利用者端末に送信される撮像画像情報または場所移動指示情報は一度にすべて送信されるわけでなく、ストーリ情報によってつながれた場面情報の順番にひとつひとつ送信されてくる。仮にシステムの効率上の問題でまとめて利用者端末に送信されたとしても、利用者端末の情報出力部から利用者に出力されるのはひとつひとつである。次の場面への移行は、例えば利用者からの何らかの入力に基づく受信情報に基づいたり、利用者に与えられた課題が達成に応じた受信情報に基づいたり、スタッフ端末からの受信情報に基づいたりと様々ではあるが、利用者端末の現在場所情報を用いても、あらかじめ定める場所やエリアへの到着判断に基づいてもよい。
【００２６】
【発明の実施の形態】
以下に、本発明に係るイベント提供システムの具体的実施の形態を図面を参照して詳細に説明する。
【００２７】
図１は、本発明の実施形態におけるイベント提供システムを説明する説明図である。
【００２８】
同図は、架空の登場人物を演じる役者担当スタッフ５をイベントの一部として活用するイベント提供システムにおいて、役者担当スタッフ５を手配できなかった穴をあらかじめ用意した撮像画像情報で補う仕組みを説明する。同図において、イベント提供システムサーバ３は、利用者端末２を介して利用者１を架空の設定に浸らせる演出をイベントとして利用者１に提供するために、イベント情報ＤＢ４に記憶する架空の登場人物が登場する場面ごとに用意される場面情報と、その場面情報をつないでイベントのストーリにするストーリ情報とを用いる。場面情報とは、その場面に登場する架空の登場人物を役者担当スタッフ５が演じることを想定してあらかじめ作成された台本情報（口裏合わせ情報）と、その場面においてその台本情報に従って架空の登場人物を演じる役者担当スタッフ５の演技をあらかじめ撮像した撮像画像情報とを組にして記憶された情報のことである。また、ストーリ情報とは、場面情報をつないでひとつのストーリを構成する情報のことである。
【００２９】
撮像画像情報は、スタッフ端末６を介して役者担当スタッフ５に送信する台本情報と演技内容が同じ台本情報に従って架空の登場人物を演じる役者担当スタッフ５の演技をあらかじめ撮像した画像情報であって、この撮像画像情報を利用者１の持つ利用者端末２に送信することで役者担当スタッフ５の穴を補うことが出来る。なお、撮像画像情報に登場する役者担当スタッフ５と、（スタッフ端末６に台本情報を送信することによって）手配される役者担当スタッフ５とは別人であっても構わない。つまり、利用者１は役者担当スタッフ５が手配された場合には（利用者１の）目の前で、役者担当スタッフ５が手配されなかった場合には（利用者端末２の情報出力部から出力される）画像によって同じ演技を見ることが出来る。
【００３０】
イベント提供システムサーバ３は、イベントの開始要求を受け付けると、その開始要求に基づいてイベント情報ＤＢ４からストーリ情報を取得し、取得したストーリ情報に基づいて、イベント情報ＤＢ４からストーリ情報を構成する場面情報を取得し、取得した場面情報に含まれる台本情報に合わせてスタッフ端末６を選択して、選択したスタッフ端末６にその台本情報を送信する。スタッフ端末６への台本情報の送信は、ストーリ情報を構成するすべての場面情報について一度に一括して処理を実行しても、ストーリ情報が示すストーリの先頭から一つまたは複数の場面情報（場面情報群）について順番に処理を実行しても、あらかじめ役者担当スタッフ５の手配しにくさを表わす手配困難度合パラメータ（変数）に基づいて手配困難度合の高い場面について優先的に処理を実行してもよい。
【００３１】
すべての場面情報を一度に処理してイベント開始時に役者担当スタッフ５を確定させておくとイベント提供システムの負担が軽くなる。ただし、役者担当スタッフ５を確定させると、その出番が来るまで役者担当スタッフ５は待機していなくてはならない。また、イベント開始時には都合が悪くても、時間の経過とともに役者担当スタッフ５の都合がよくなることもある。そこで、イベント提供システムとしては処理回数が増え、より複雑な処理によって負担が増加してしまうことにはなるが、提供するイベントの進行に合わせて役者担当スタッフ５を手配する方が、効率のよい役者担当スタッフ５活用が可能となる。なお、一旦手配済みとなった役者担当スタッフ５の都合が急に悪くなることもあるので、イベント提供システムサーバ３はその旨をスタッフ端末６から受信すると、撮像画像情報でその穴を埋める代替処理も可能である。どのような仕組みを採用するかは、あらかじめ選択してあっても、提供するイベントに応じて都度選択してもよい。つまり、スタッフ端末６への台本情報の送信の処理方法については、イベント提供サーバ３が提供するイベントに応じて決定するとよい。
【００３２】
送信された台本情報に対して、スタッフ端末６から演技の対応不可を示す演技対応不可情報を受信すると、その演技対応不可情報（に対応する台本情報）が示す場面情報に含まれる撮像画像情報をストーリ情報に割り当て、撮像画像情報が割り当てられたストーリ情報に基づいて、撮像画像情報が割り当てられている場面については割り当てられた撮像画像情報を、撮像画像情報が割り当てられていない場面については架空の登場人物を演ずる役者担当スタッフ５がいる場所への移動を指示する場所移動指示情報を、利用者端末２に送信する。もちろん、すべての場面について役者担当スタッフ５が手配できた場合には、ストーリ情報に何も撮像画像情報が割り当てられていないことになり、すべての場面について場所移動情報が利用者端末２に送信される。
【００３３】
図２は、本発明の実施形態における具体例を説明する説明図である。
【００３４】
同図は、時代劇の雰囲気を醸し出すテーマパークなどで提供されるイベントの具体例である。同図において、利用者端末２では、「その夜、代官屋敷では・・・」のメッセージの後に撮像画像情報を情報出力部に出力している。撮像画像情報には、まず効果音として「あおーん」という犬の遠吠えが出力され、続いてナレーションとして「ここは、代官屋敷。代官屋敷では、夜な夜な悪巧みの相談が繰り返されていたのでした」が出力される。ナレーションの後には悪徳商人（役名、大黒屋）を演じる役者担当スタッフ５と悪代官を演じる役者担当スタッフ５の演技を撮像した演技として、悪徳商人が「お代官様、黄金色の菓子でございます」と言い、悪代官が「なに、黄金色の菓子とな」と言い、悪徳商人が「ええ。黄金色にございます」と言って小判の詰まった菓子箱を悪代官に差し出す。すると、悪代官が「大黒屋、お主も悪よのう」と言い、悪徳商人が「いえいえ、お代官様ほどじゃありませぬ」と言い、悪代官と悪徳商人が「ほっほっほっほ」と笑う。最後にナレーションが「こうして夜も更けていくのでありました」と言って撮像画像情報は終了する。利用者１の操作によって撮像画像情報を繰り返し情報出力部に出力できる機能があってもよい。
【００３５】
撮像画像情報のあとには、次の場面について架空の登場人物を演ずる役者担当スタッフ５がいる場所への移動を指示する場所移動指示情報として「そして、次の日。何やら、町奉行所の方が騒がしい。あなたは何だろうと思って、そこへ行ってみました」というメッセージが情報出力部に出力されている。この場所移動指示情報に導かれて利用者１は、次の場面で架空の登場人物を演ずる役者担当スタッフ５がいる場所（この具体例では、町奉行所）へと移動する。場所移動指示情報に連動して、場所移動指示情報が示す場所へと誘導する地図情報を情報出力部に出力できる機能があってもよい。
【００３６】
図３は、本発明の実施形態における具体例を説明する説明図である。
【００３７】
同図は、図２に続く具体例である。同図において、スタッフ端末５にはイベント提供システムサーバ３から台本情報として役柄を示す役柄情報と、役どころ（役目）を示す役どころ（役目）情報と、セリフを示すセリフ情報があらかじめ送信されている。役者担当スタッフ５は、スタッフ端末６を介して受け取った台本情報によって架空の登場人物を演技する。図例では、役柄情報として「瓦版（江戸時代の新聞）売り。服装は江戸時代の町人風」が、役どころ（役目）情報として「利用者１にここ（お江戸）で何かが起きていることを伝え、瓦版を（次の手掛かりとして）手渡す」が、セリフ情報として「てーへんだ。てーへんだ。このごろ、このお江戸がちょっと騒がしいと思ったら、なんと、どこかで糸を引いている奴らがいるって言うから驚きだ。おめぇさん、知っているかい？（ここで利用者１に問い掛ける）知らねぇだろう。詳しく知りたけりゃ、この瓦版を読むしかねぇな。ほら、買った、買ったぁ（と言って利用者１に瓦版を手渡す）」が示されている。利用者１にとって次の手掛かりとなる情報記憶媒体（この具体例では、瓦版）は、スタッフ端末６から出力されたものであっても、イベント提供システムサーバ３から出力されたものをサーバ操作者によって役者担当スタッフ５に送付されてもよい。図例で役者担当スタッフ５は、台本情報そのままに架空の登場人物としての演技をしているが、役者担当スタッフ５が経験と実績を積み重ねてくれば、イベントにおける役割（必ず実行しなければならないこと）を明確化した上で、アドリブ（役者担当スタッフ５の裁量の度合）を増やしていくとよい。アドリブを段階的に増やしていけば、イベント提供システムが提供するイベントによって、役者担当スタッフ５を育成することが出来る。
【００３８】
図４は、本発明の実施形態における具体例を説明する説明図である。
【００３９】
同図は、提供するイベントの中で利用者１が解き明かす真相が隠されているサスペンス風イベントの具体例である。同図において、イベント提供サーバ３からスタッフ端末６に、役柄情報と役どころ（役目）情報とセリフ情報から成る台本情報があらかじめ送信されている。役柄情報として「ごく普通の店員さん。『老舗とらや』にいる」が、役どころ（役目）情報として「次の手掛かりを与える」が、セリフ情報として「利用者１がやって来て『赤いコートの女を見たか』と問われたら、『事件当日の夜、そこから東の円山公園の方へ逃げ去るように立ち去った』と伝える。キーワードは『赤いコートの女』。後はアドリブで」がスタッフ端末６の情報出力部に出力されている。役者担当スタッフ５は、受け取った台本情報に従い、利用者１より先に「老舗とらや」に行って（先回りして）店員として待機する。また、元々「老舗とらや」の店員を役者担当スタッフ５として手配し、（手配済みの役者担当スタッフ５の居所・居場所に合わせて）利用者端末２に送信する場所移動指示情報として役者担当スタッフ５を手配した場所である「老舗とらや」を示してもよい。
【００４０】
一方、利用者端末１には、「ある夜のことでした・・・」のメッセージの後に撮像画像情報として「架空の事件情報（利用者１が解き明かす真相が隠された事件と、真相解き明かすカギを含む画像）」が、場所移動指示情報として「事件当日の夜、事件現場から立ち去る赤いコートの女を見たという目撃者が『老舗とらや』にいる」というメッセージが情報出力部に出力される。なお、利用者１が解き明かす真相が隠された事件を架空の事件情報として利用者１に与えた場合には、イベントの最後に対応する真相情報を謎解き（『実はこうでした』を示すタネ明かし）として与えるとよい。また、図例では場所移動指示情報が示す場所へと誘導する地図情報を「道案内」の言葉で情報出力部に出力している。
【００４１】
場所移動指示情報に導かれた利用者１が、実在する店舗である老舗とらやで役者担当スタッフ５が演じる店員を見つけて「事件当日、赤いコートの女を見たのは、あなたですか？」と問い掛けると、役者担当スタッフ５は利用者１から聞いた言葉の中にあるキーワード「赤いコートの女」を聞いて、事前にスタッフ端末６を介して受け取った台本情報を「あー、あれか」と思い出す。そして、役者担当スタッフ５は思い出した台本情報に従って「（ちょっと驚いた風に）なんでそんなことを知っているの？見たのよ、見たのよ。あの夜、うちの犬がやけに吠えるから家の外に出てみたのね。そしたら、真っ赤なコートを着た女の人が立ち去るように走っていったの。どちらの方向？そうね。あれは確か、そこから東の円山公園の方だったわ」と演技を交えて利用者１に伝えてくれる。役者担当スタッフ５はさらにアドリブで「このお菓子、おいしいのよ。どう？」などと利用者１との会話の続きを楽しむことも出来る。利用者１は、このような役者担当スタッフ１１とのやりとりによって、架空の設定でありながらあたかも現実であるような雰囲気でイベント提供システムが提供するイベントを楽しむことが出来る。
【００４２】
また、役者担当スタッフ５をイベント提供システムが提供するイベントに用いることで、イベントが創りだす仮想現実をより現実世界に近づけることが出来るだけでなく、システムの処理では課題達成の判定が難しいイベントでも役者担当スタッフ５の判断に委ねることが出来る。例えば、人の主観で判断するものは役者担当スタッフ５に委ねてしまえばよく、「（利用者１に）役者担当スタッフ５であることを見抜かれたか（ばれたか）？」以外にも「（利用者１の行為に）ユーモアがあったか（利用者１の言動が面白かったか）？」「（早食いで）制限時間内に完食できたか？」などもイベント提供システムが提供するイベントの課題とすることが出来る。
【００４３】
図５は、本発明の実施形態におけるイベント提供システムを説明する説明図である。
【００４４】
同図において、利用者端末２の情報出力部に出力された場所移動指示情報に応じた利用者１が移動することによって、利用者１のいる場所情報が変化する。利用者１が利用者端末２を有することによって、利用者端末２は利用者１とともに行動していることになるので、利用者端末２が取得する場所情報を利用者１のいる場所情報と見なすことが出来る。イベント提供システムサーバ３は、利用者端末２から取得した利用者端末２の現在場所情報によって、ストーリ情報を選択したり、場所情報における役者担当スタッフ５を手配する場所を変更するとよい。また、利用者端末２から取得する現在場所情報によって、撮像画像情報や場所移動情報の送信タイミングを調整すると、利用者１の行動に合わせたイベント運営が出来る。
【００４５】
図６は、図５を補足する、本発明の実施形態におけるイベント提供システムを説明する説明図である。
【００４６】
同図において、利用者端末２は、イベントが対象とするイベントサービスエリアとなる屋内および屋外にあらかじめ設置された場所情報タグ７から場所情報を取得する、または位置情報を提供する位置情報提供システム８から場所情報の元となる位置情報を取得する。ここで言うところの場所情報タグ７とは、設置される場所を示す場所情報をあらかじめ記憶領域に記憶し、記憶する場所情報を周囲に存在する機器に対して常時出力し続けるか、周囲に存在する機器からの要望に応じて出力するものである。また、位置情報提供システム８とは、例えばＧＰＳ（全地球測位システム）における電波を発する人工衛星のことであり、この人工衛星が発する電波を元情報として地球上の緯度経度を地理上の絶対座標として算出し、算出した緯度経度を地図情報と照らし合わせることによって、地図上の場所を判断することが出来る。なお、場所情報タグ７や位置情報提供システム８から場所情報または場所情報の元となる位置情報が取得できない場合には、利用者１に対して場所情報の入力を指示する指示情報を情報出力部に出力して、利用者１に場所情報の入力を促すとよい。また、場所情報は図７に示すようにパスゲート９を通過した利用者１を検知することによっても取得することが出来る。パスゲート９から場所情報を取得する場合には、パスゲート９の設置場所をパスゲート９の通過時刻における利用者１の現在場所情報と見なせばよい。
【００４７】
図７は、図６を補足する、本発明の実施形態におけるイベント提供システムを説明する説明図である。
【００４８】
同図はパスゲート９を通過した利用者１に関する情報を用いる場合である。同図において、利用者１は情報記憶媒体１０または利用者端末２を用いてパスゲート９を通過する。利用者１が通過する際にパスゲート９は、情報記憶媒体１０または利用者端末２から利用者端末アドレスを読み取ってあらかじめパスゲート９が有するパスゲートコードとともに利用者１の通過検知結果をイベント提供システムサーバ３に送信する。なお、ここで言うところのパスゲートコードとは、受信したイベント提供システムサーバ３がパスゲート９に関する基礎情報をあらかじめ記憶するデータベースより取得するために用いるためのコードであり、通信に関わる情報量削減が出来る。もちろん、パスゲートコードを用いずにパスゲート９に関する基礎情報を都度、受信しても構わない。また、パスゲート９が公共交通機関の駅などに設置された自動改札や電車、バス、などの移動車両への出入り口であり、情報記憶媒体１０が乗車券（何度も乗り降りが出来る、例えば一日乗車券や定期券などが好ましい）であれば、利用者１を監視することなく、乗車券が有効な期間中にその乗車券を使用している間だけイベント情報の送信が可能となる。つまり、パスゲート９を用いると利用者１のプライバシーに配慮した情報提供が出来る。
【００４９】
図８は、本発明の実施形態におけるイベント提供システムサーバのハードブロック図である。
【００５０】
同図において、サーバ操作者１１とはイベント提供システムサーバ３の操作者で、サーバの管理（運営、監視、維持などを含む）者のことである。情報入出力部１２とは、イベント提供システムサーバ３がサーバ操作者１１と種々のやりとりをするための入出力機能を持つ部位であり、大まかに情報入力部１２−１と情報出力部１２−２で構成される。情報入力部１２−１における入力装置としては、例えばキーボード、テンキー、マウス、バーコードリーダなどが該当し、サーバ操作者１１の入力がシステムに対して情報を伝達するものなら、その種類は問わない。また情報出力部１２−２における出力装置としては、例えばディスプレイ、プリンタなどが該当し、サーバ操作者１１に対してシステムから情報を伝達できるものなら、その種類は問わない。演算部１３とは、プログラムを実行することによって各機能を駆動、処理するための演算機能を持つ部位であり、一般にＣＰＵ（中央演算装置）で構成される。メモリ部１４とは、演算部１３が実行するプログラムの実行エリアの部位である。通信部１５とは、ネットワーク１６を介して種々の端末や外部システムとの通信を制御する部位である。
【００５１】
ＤＢ（データベース）管理部１７とは、様々なデータ構造とデータ実体を管理する機能を持つ部位である。ＤＢ管理部１７に管理される処理プログラム１８とは、イベント提供システムサーバ３の利用目的を達成するために必要なプログラムのことであり、ＯＳ（オペレーティングシステム）もここに含まれる。同様にイベント情報ＤＢ４とは、利用者端末２に送信されるイベントを実行するための情報を記憶するデータベースのことである。同様に配信情報ＤＢ１９とは、イベント提供システムサーバ３が利用者端末２に送信した情報を送信結果として記憶するデータベースのことであり、利用者端末２から受信した情報を記憶してもよい。同様に役者担当スタッフ情報ＤＢ２０とは、役者担当スタッフ５に関する情報（適した役柄やどの辺りにいるかを示す行動範囲など）をスタッフ端末６の送信アドレス（通信アドレス）とともに記憶するデータベースのことである。同様に、その他のプログラム・データとは、イベントで使用する情報記憶媒体に記す内容を作成するワープロソフトや印刷ソフトなどのことである。
【００５２】
図９は、本発明の実施形態における利用者端末のハードブロック図である。
【００５３】
同図において、情報入出力部２２とは、利用者端末２が利用者１と種々のやりとりをするための入出力機能を持つ部位であり、大まかに情報入力部２２−１と情報出力部２２−２で構成される。情報入力部２２−１における入力装置としては、例えばテンキーやカナキー、タッチスイッチ、音声入力などが該当し、利用者１の入力が利用者端末２に対して情報を伝達するものなら、その種類は問わない。また情報出力部２２−２における出力装置としては、例えばディスプレイ、音声出力装置などが該当し、利用者１に対して利用者端末２から情報を伝達できるものなら、その種類は問わない。位置情報／場所情報取得部２３とは、場所情報タグ７または位置情報提供システム８から場所情報または位置情報を取得する部位のことである。演算部２４とは、利用者端末２がプログラムを実行することによって各機能を駆動、処理するための演算機能を持つ部位であり、一般にＣＰＵ（中央演算装置）で構成される。記憶部２５とは、利用者端末２の目的を達成するために必要なプログラムを記憶する記憶エリアと演算部２４が実行するプログラムの実行エリアの部位である。通信部２６とは、イベント提供システムサーバ３などと通信する場合にネットワーク１６を介して情報の送受信をする部位である。
【００５４】
図１０は、本発明の実施形態におけるスタッフ端末のハードブロック図である。
【００５５】
同図において、情報入出力部２７とは、スタッフ端末６が役者担当スタッフ５と種々のやりとりをするための入出力機能を持つ部位であり、大まかに情報入力部２７−１と情報出力部２７−２で構成される。情報入力部２７−１における入力装置としては、例えばキーボード、テンキー、マウス、バーコードリーダやカナキー、タッチスイッチ、音声入力などが該当し、役者担当スタッフ５の入力がスタッフ端末６に対して情報を伝達するものなら、その種類は問わない。また情報出力部２７−２における出力装置としては、例えばディスプレイ、音声出力装置、プリンタなどが該当し、役者担当スタッフ５に対してスタッフ端末６から情報を伝達できるものなら、その種類は問わない。位置情報／場所情報取得部２８とは、場所情報タグ７または位置情報提供システム８から場所情報または位置情報を取得する部位のことである。演算部２９とは、スタッフ端末６がプログラムを実行することによって各機能を駆動、処理するための演算機能を持つ部位であり、一般にＣＰＵ（中央演算装置）で構成される。記憶部３０とは、スタッフ端末６の目的を達成するために必要なプログラムを記憶する記憶エリアと演算部２９が実行するプログラムの実行エリアの部位である。通信部３１とは、イベント提供システムサーバ１などと通信する場合にネットワーク１６を介して情報の送受信をする部位である。
【００５６】
図１１は、本発明の実施形態におけるイベント提供システムサーバの機能ブロック図である。
【００５７】
同図において、イベント提供システムサーバ３は、利用者端末２からイベント開始の要求をイベント開始要求情報として受け付ける機能と、受け付けたイベントの開始要求に基づいて、イベント情報ＤＢ４に含まれるストーリ情報ＤＢ４−１からストーリ情報を取得する機能と、取得されたストーリ情報に基づいて、イベント情報ＤＢ４に含まれる場面情報ＤＢ４−２から場面情報を取得する機能と、取得した場面情報に含まれる台本情報に基づいて、スタッフ端末６を役者担当スタッフ情報ＤＢ２０から選択する機能と、選択したスタッフ端末６に台本情報を送信する機能と、送信された台本情報に対して、スタッフ端末６から演技の対応不可を示す演技対応不可情報を受信する機能と、受信した演技対応不可情報が示す場面情報に含まれる撮像画像情報をストーリ情報に割り当てる機能と、撮像画像情報が割り当てられたストーリ情報に基づいて、撮像画像情報が割り当てられている場面については割り当てられた撮像画像情報を、撮像画像情報が割り当てられていない場面については架空の登場人物を演ずる役者担当スタッフがいる場所への移動を指示する場所移動指示情報を利用者端末２に送信タイミングを判断した上で送信する機能とを有する。
【００５８】
また、取得されたストーリ情報に基づいて、場面情報ＤＢ４−２から場面情報を取得する機能では、ストーリ情報がつなぐ先頭の場面情報から一つまたは複数の場面情報を取得し、利用者端末２に撮像画像情報または場所移動指示情報を送信完了すると、送信完了に応じて次の前記場面情報を取得してもよい。このように、取得する場面情報を一つまたは複数にして、利用者端末２に撮像情報または場所移動指示情報を送信したら、その送信完了に応じて次の場面について処理を実行することにより、場面情報ごとにまたは（ストーリを分割していくつかの場面情報をまとめた）場面情報群ごとに処理を実行することが出来る。
【００５９】
図１２は、図１１に示す機能ブロック図に対応するイベント提供システムサーバの演算部におけるフローチャートである。
【００６０】
同図において、イベント提供システムサーバ３は、利用者端末２からイベント開始の要求をイベント開始要求情報として受け付けると（ＳＴ１２０１）、受け付けたイベントの開始要求に基づいて、イベント情報ＤＢ４に含まれるストーリ情報ＤＢ４−１からストーリ情報を取得し（ＳＴ１２０２）、取得されたストーリ情報に基づいて、イベント情報ＤＢ４に含まれる場面情報ＤＢ４−２から場面情報を取得し（ＳＴ１２０３）、取得した場面情報に含まれる台本情報に基づいて、スタッフ端末６を役者担当スタッフ情報ＤＢ２０から選択し（ＳＴ１２０４）、選択したスタッフ端末６に台本情報を送信し（ＳＴ１２０５）、送信された台本情報に対して、スタッフ端末６から演技の対応不可を示す演技対応不可情報を受信するか否かを判断して（ＳＴ１２０６）、演技対応不可情報を受信した場合には、受信した演技対応不可情報が示す場面情報に含まれる撮像画像情報をストーリ情報に割り当て（ＳＴ１２０７）、演技対応不可情報を受信しない場合にはそのまま、利用者端末２に情報を送信するか否かの送信タイミングを判断した上で（ＳＴ１２０８）、撮像画像情報が割り当てられたストーリ情報に基づき、撮像画像情報が割り当てられている場面については割り当てられた撮像画像情報を、撮像画像情報が割り当てられていない場面については架空の登場人物を演ずる役者担当スタッフがいる場所への移動を指示する場所移動指示情報を利用者端末２に送信し（ＳＴ１２０９）、利用者端末への情報は送信完了か否かを判断して（ＳＴ１２１０）、送信完了していない場合にはＳＴ１２０８に戻り、送信完了した場合にはさらにすべての場面情報は処理済みか否かを判断して（ＳＴ１２１１）、すべての場面情報について処理が済んでいればそのまま処理を終了し、処理が済んでいなければ、ＳＴ１２０２で取得されたストーリ情報に基づいて、場面情報ＤＢ４−２から次の場面情報を取得して（ＳＴ１２１２）、ＳＴ１２０４に戻る。ＳＴ１２０３ですべての場面情報を一括で取得していれば、ＳＴ１２１１ですべての場面情報について処理済みとなり、処理はそのまま終了する。また、ＳＴ１２０３でストーリ情報がつなぐ先頭の場面情報から一つまたは複数の場面情報を取得していれば、ＳＴ１２１１ですべての場面情報について処理済みではないと判断され、ＳＴ１２１２で次の場面情報が取得される。
【００６１】
図１３は、本発明の実施形態におけるイベント提供システムサーバの機能ブロック図である。
【００６２】
同図は、役者担当スタッフ５が（スタッフ端末６を介して与えられた）台本情報によっていくら迫真の演技をしたとしても時間帯に影響される場面では、実際の時間帯とズレてしまうと、肝心の雰囲気を台無しにすることになり、利用者１に違和感を与えてしまうことに配慮して、場面情報にふさわしい時間帯が実際にイベントが提供される時間帯と異なる場合には、撮像画像情報を用いる処理をする場合である。時間帯情報は、屋外の雰囲気が異なる時間帯で区分けされているとよく、具体的には朝方／昼間／夕方／夜間であり、時間帯に影響されない場面情報には不特定を示す時間帯情報を付与して、時間帯情報が不特定の時間帯である場面情報については、実際にイベントが提供される時間帯が朝方／昼間／夕方／夜間のいずれであっても時間帯は一致していると判断するとよい。
【００６３】
同図において、イベント提供システムサーバ３は、利用者端末２からイベント開始の要求をイベント開始要求情報として受け付ける機能と、受け付けたイベントの開始要求に基づいて、ストーリ情報ＤＢ４−１からストーリ情報を取得する機能と、取得されたストーリ情報に基づいて、場面情報ＤＢ４−２から場面情報を取得する機能と、実際にイベントを提供する時間帯を示す時間帯情報をイベント情報ＤＢ４から取得する機能と、取得した場面情報に含まれる時間帯情報が実際にイベントが提供される時間帯と一致しているか否かを判断する機能と、時間帯が一致していないと判断された前記場面情報については、その場面情報に含まれる撮像画像情報をストーリ情報に割り当てる機能と、時間帯が一致していると判断された場面情報については、取得した場面情報に含まれる台本情報に基づいて、スタッフ端末６を役者担当スタッフ情報ＤＢ２０から選択する機能と、選択したスタッフ端末６に台本情報を送信する機能と、送信された台本情報に対して、スタッフ端末６から演技の対応不可を示す演技対応不可情報を受信する機能と、受信した演技対応不可情報が示す場面情報に含まれる撮像画像情報をストーリ情報に割り当てる機能と、撮像画像情報が割り当てられたストーリ情報に基づいて、撮像画像情報が割り当てられている場面については割り当てられた撮像画像情報を、撮像画像情報が割り当てられていない場面については架空の登場人物を演ずる役者担当スタッフがいる場所への移動を指示する場所移動指示情報を利用者端末２に送信タイミングを判断した上で送信する機能とを有する。
【００６４】
このように場面情報に時間帯情報が設定してある場合には、実際にイベントが提供される時間帯と一致しているかどうかを判断してから、スタッフ端末に台本情報を送信するとよい。また、取得されたストーリ情報に基づいて、場面情報ＤＢ４−２から場面情報を取得する機能では、ストーリ情報がつなぐ先頭の場面情報から一つまたは複数の場面情報を取得し、利用者端末２に撮像画像情報または場所移動指示情報を送信完了すると、送信完了に応じて次の前記場面情報を取得してもよい。
【００６５】
図１４は、図１３に示す機能ブロック図に対応するイベント提供システムサーバの演算部におけるフローチャートである。
【００６６】
同図において、イベント提供システムサーバ３は、取得されたストーリ情報に基づいて、場面情報ＤＢ４−２から場面情報を取得すると（ＳＴ１４０１）、実際にイベントを提供する時間帯を示す時間帯情報をイベント情報ＤＢ４から取得し（ＳＴ１４０２）、取得した場面情報に含まれる時間帯情報が実際にイベントが提供される時間帯と一致しているか否かを判断して（ＳＴ１４０３）、時間帯が一致していると判断した場合は、取得した場面情報に含まれる台本情報に基づいて、スタッフ端末６を役者担当スタッフ情報ＤＢ２０から選択し（ＳＴ１４０４）、選択したスタッフ端末６に台本情報を送信して（ＳＴ１４０５）、処理を終了し、ＳＴ１４０３で時間帯が一致していないと判断した場合は、その場面情報に含まれる撮像画像情報をストーリ情報に割り当てて（ＳＴ１４０６）、処理を終了する。
【００６７】
図１５は、本発明の実施形態におけるイベント提供システムサーバの機能ブロック図である。
【００６８】
同図は、役者担当スタッフ５が演技をする場所や役柄に関する要件を必要とする場合の処理を示す。同図において、場面情報には、役者担当スタッフ５が演技をする場所に関する場所要件情報または演じる役者担当スタッフ５の役柄に関する役柄要件情報が付与されており、イベント提供システムサーバ３は、取得されたストーリ情報に基づいて、場面情報ＤＢ４−２から場面情報を取得する機能と、取得した場面情報に付与されている場所／役柄要件情報を取得する機能と、取得した要件情報に基づいて、役者担当スタッフ５が適した役柄を示す役柄情報およびその役者担当スタッフ５が実際にどの場所にいるかを示す行動範囲情報をスタッフ端末６の送信アドレスとともに役者担当スタッフ情報としてあらかじめ記憶する役者担当スタッフ情報ＤＢ２０から、要件の適合する役者担当スタッフ５の適合判断結果として、その役者担当スタッフ５の持つスタッフ端末６の送信アドレスを抽出（することによってスタッフ端末６を選択）する機能と、役柄に相応しい役者担当スタッフ５の持つスタッフ端末６の送信アドレスを抽出した場合には、その送信アドレスに台本情報を送信する機能と、送信アドレスを何も抽出しなかった場合には、相応しい前記役者担当スタッフが居なかったと見なして、その場面情報に含まれる撮像画像情報をストーリ情報に割り当てる機能とを有する。このように、台本情報を送信するのにふさわしい役者担当スタッフ５が役者担当スタッフ情報ＤＢ２０に登録されていなかった場合にも、役者担当スタッフ５の替わりに撮像画像情報を用いるとよい。
【００６９】
図１６は、図１５に示す機能ブロック図に対応するイベント提供システムサーバの演算部におけるフローチャートである。
【００７０】
同図において、イベント提供システムサーバ３は、取得されたストーリ情報に基づいて、場面情報ＤＢ４−２から場面情報を取得すると（ＳＴ１６０１）、取得した場面情報に付与されている場所／役柄要件情報を取得し（ＳＴ１６０２）、取得した要件情報に基づいて、役者担当スタッフ５が適した役柄を示す役柄情報およびその役者担当スタッフ５が実際にどの場所にいるかを示す行動範囲情報をスタッフ端末６の送信アドレスとともに役者担当スタッフ情報としてあらかじめ記憶する役者担当スタッフ情報ＤＢ２０から、要件の適合する役者担当スタッフ５の適合判断結果として、その役者担当スタッフ５の持つスタッフ端末６の送信アドレスを抽出（することによってスタッフ端末６を選択）し（ＳＴ１６０３）、該当するスタッフ端末６の送信アドレスの抽出がありか否かを判断し（ＳＴ１６０４）、役柄に相応しい役者担当スタッフ５の持つスタッフ端末６の送信アドレスを抽出した場合には、その送信アドレスに台本情報を送信して（ＳＴ１６０５）、処理を終了し、送信アドレスを何も抽出しなかった場合には、相応しい前記役者担当スタッフが居なかったと見なして、対応する場面情報に含まれる撮像画像情報をストーリ情報に割り当てて（ＳＴ１６０６）、処理を終了する。
【００７１】
図１７は、図１１およぶ図１３に示す機能ブロック図に対応するイベント提供システムサーバの演算部におけるフローチャートである。
【００７２】
同図において、スタッフ端末６からは演技対応不可情報でなく、演技の対応可能か否かを示す演技対応可能／不可情報として受信情報を受け付けてもよい。スタッフ端末６から演技対応不可情報を受信した場合には、同様に撮像画像割当手段が演技対応不可情報に対応する場面情報に含まれる撮像画像をストーリ情報に割り当てる。スタッフ端末６から演技対応可能情報を受信した場合には、演技対応可能情報に対応する場面はすでにスタッフ端末６に送信済みの台本情報に基づいて役者担当スタッフ５が演技してくれる。なお、台本情報を送信した後にスタッフ端末６から演技対応可能／不可情報の返信がなく、あらかじめ定める時間が経過したと判断したら、スタッフ端末６から演技対応不可情報を受信したと見なして、同様に撮像画像割当手段によって演技対応不可情報に対応する撮像画像をストーリ情報に割り当てるとよい。イベント提供システムサーバ３は、スタッフ端末６から演技対応可能情報の受信ありか否かを判断し（ＳＴ１７０１）、演技対応可能情報の受信があれば、そのまま処理を終了し、演技対応可能情報の受信がなければ、スタッフ端末６から演技対応不可情報の受信がありか否かを判断し（ＳＴ１７０２）、演技対応不可情報の受信があれば、受信した演技対応不可情報が示す場面情報に含まれる撮像画像情報をストーリ情報に割り当てて（ＳＴ１７０３）、処理を終了し、演技対応不可情報の受信がなければ、あらかじめ定める一定時間が経過したか否かを判断し（ＳＴ１７０４）、経過していれば、スタッフ端末６から演技対応不可情報を受信したと見なして、対応する撮像画像情報をストーリ情報に割り当てて（ＳＴ１７０３）、処理を終了し、経過してなければ、ＳＴ１７０１に戻る。
【００７３】
図１８は、本発明の実施形態におけるイベント提供システムサーバの機能ブロック図である。
【００７４】
同図は、利用者端末２またはスタッフ端末６から現在場所情報を取得する場合の処理を示す。同図において、イベントの開始要求とともに利用者端末２の現在位置を示す現在場所情報を受け付けた場合には、受け付けた現在場所情報に応じてストーリ情報を選択してもよく、役者担当スタッフ要件の適合判定では、受け付けた現在場所情報も含めて要件の適合判断をするようにしてもよい。スタッフ端末６から現在場所情報を取得した場合には、役者担当スタッフ情報ＤＢ２０に記憶するスタッフ端末６の現在場所情報を（役者担当スタッフ５の現在場所情報として）更新するとよい。
【００７５】
イベント提供システムサーバ３は、利用者端末２から利用者端末２の現在場所情報とともにイベント開始の要求をイベント開始要求情報として受け付ける機能と、受け付けたイベントの開始要求と利用者端末２の現在場所情報に基づいて、イベント情報ＤＢ４に含まれるストーリ情報ＤＢ４−１からストーリ情報を取得する機能と、取得されたストーリ情報に基づいて、イベント情報ＤＢ４に含まれる場面情報ＤＢ４−２から場面情報を取得する機能と、取得した場所情報に含まれる場所要件情報に受け付けた利用者端末２の現在場所情報を付与する機能とを有する。イベント提供システムサーバ３は、スタッフ端末６からスタッフ端末６の現在場所を受信する機能と、受信したスタッフ端末６の現在場所情報を役者担当スタッフ情報ＤＢ２０に記憶する機能とを有する。
【００７６】
利用者端末２に送信される撮像画像情報または場所移動指示情報は一度にすべて送信されるわけでなく、ストーリ情報によってつながれた場面情報の順番にひとつひとつ送信されてくる。仮にシステムの効率上の問題でまとめて利用者端末２に送信されたとしても、利用者端末２の情報出力部から利用者１に出力されるのはひとつひとつである。次の場面への移行は、例えば利用者１からの何らかの入力に基づく受信情報に基づいたり、利用者１に与えられた課題が達成に応じた受信情報に基づいたり、スタッフ端末６からの受信情報に基づいたりと様々ではあるが、利用者端末２の現在場所情報を用いても、あらかじめ定める場所やエリアへの到着判断に基づいてもよい。
【００７７】
図１９は、本発明の実施形態における利用者端末またはスタッフ端末の機能ブロック図である。
【００７８】
同図において、利用者端末２（スタッフ端末６）の有する位置情報／場所情報取得部２３（２８）の機能は、位置情報提供システム８から地理上の絶対座標算出の元となる元情報を取得する機能、または場所情報を出力する場所情報タグ７から場所情報を取得する機能で構成されている。位置情報／場所情報取得部２３（２８）から利用者端末２（スタッフ端末６）の現在いる場所を示す場所情報を更新する機能は、位置情報／場所情報取得部２３（２８）から取得した元情報から地理上の絶対座標を算出する機能と、算出した絶対座標から地図上の場所を判断する機能と、地図上の場所の判断結果を利用者端末２（スタッフ端末６）が現在いる場所として記憶部２５（３０）に記憶する機能とで構成されてもよいし、位置情報／場所情報取得部２３（２８）から取得した場所情報を利用者端末２（スタッフ端末６）が現在いる場所として記憶部２５（３０）に記憶する機能とで構成されてもよいし、その両方で構成されてもよい。
【００７９】
図２０は、図１９に示す機能ブロック図に対応する利用者端末またはスタッフ端末の演算部におけるフローチャートである。
【００８０】
同図において、利用者端末２（スタッフ端末６）は、場所情報の更新要求を受け付けると（ＳＴ２００１）、位置情報提供システム８から地理上の絶対座標算出の元となる元情報を取得し（ＳＴ２００２）、取得した元情報から地理上の絶対座標を算出し（ＳＴ２００３）、算出した絶対座標から地図上の場所を判断し（ＳＴ２００４）、地図上の場所の判断結果を利用者端末２（スタッフ端末６）が現在いる場所として記憶部２５（３０）に記憶して（ＳＴ２００５）、処理を終了する。
【００８１】
図２１は、図１９に示す機能ブロック図に対応する利用者端末またはスタッフ端末の演算部におけるフローチャートである。
【００８２】
同図において、利用者端末２（スタッフ端末６）は、場所情報の更新要求を受け付けると（ＳＴ２１０１）、場所情報を出力する最寄りの場所情報タグ７から場所情報を取得し（ＳＴ２１０２）、取得した場所情報を利用者端末２（スタッフ端末６）が現在いる場所として記憶部２５（３０）に記憶して（ＳＴ２１０３）、処理を終了する。
【００８３】
図２２は、図１８に示す機能ブロック図に対応するスタッフ端末およびイベント提供システムサーバ３の演算部におけるフローチャートである。
【００８４】
同図において、スタッフ端末６は、現在場所情報の更新を受け付けると（ＳＴ２２０１）、更新された現在場所情報をイベント提供システムサーバ３に送信して（ＳＴ２２０２）、処理を終了する。イベント提供システムサーバ３は、スタッフ端末６からスタッフ端末６の現在場所を受信すると、受信したスタッフ端末６の現在場所情報を役者担当スタッフ情報ＤＢ２０に記憶して（ＳＴ２２０３）、処理を終了する。
【００８５】
図２３は、図１８に示す機能ブロック図に対応するスタッフ端末およびイベント提供システムサーバ３の演算部におけるフローチャートである。
【００８６】
同図において、利用者端末２は、イベント開始の送信指示を受け付けると（ＳＴ２３０１）、現在場所情報を記憶部２５から取得し（ＳＴ２３０２）、取得した現在場所情報とともにイベント開始要求をイベント提供システムサーバ３に送信して（ＳＴ２３０３）、処理を終了する。イベント提供システムサーバ３は、利用者端末２から利用者端末２の現在場所情報とともにイベント開始の要求をイベント開始要求情報として受け付けると、受け付けたイベントの開始要求と利用者端末２の現在場所情報に基づいて、イベント情報ＤＢ４に含まれるストーリ情報ＤＢ４−１からストーリ情報を取得し（ＳＴ２３０４）、取得されたストーリ情報に基づいて、イベント情報ＤＢ４に含まれる場面情報ＤＢ４−２から場面情報を取得し（ＳＴ２３０５）、取得した場所情報に含まれる各場所要件情報に受け付けた利用者端末２の現在場所情報を付与して（ＳＴ２３０６）、処理を終了する。
【００８７】
図２４は、本発明の実施形態におけるイベント提供システムサーバの演算部におけるフローチャートである。
【００８８】
同図は、図１５に示す機能ブロック図に示す処理において、役者担当スタッフ５の役柄要件情報は満たすが場所要件情報を満たさなかった場合の追加処理を示す。同図において、イベント提供システムサーバ３は、役柄要件情報を満たし、場所要件情報に示す場所に最寄りのスタッフ端末６があるか否かを判断し（ＳＴ２４０１）、該当するスタッフ端末６がなければ、対応する場面情報に含まれる撮像画像情報をストーリ情報に割り当てて（ＳＴ２４０５）、処理を終了し、該当するスタッフ端末６があれば、選択したスタッフ端末６に場所移動指示情報とともに台本情報を送信し（ＳＴ２４０２）、スタッフ端末６から演技対応可能情報の受信ありか否かを判断し（ＳＴ２４０３）、演技対応可能情報の受信があれば、そのまま処理を終了し、演技対応可能情報の受信がなければ、スタッフ端末６から演技対応不可情報の受信がありか否かを判断し（ＳＴ２４０４）、演技対応不可情報の受信があれば、受信した演技対応不可情報が示す場面情報に含まれる撮像画像情報をストーリ情報に割り当てて（ＳＴ２４０５）、処理を終了し、演技対応不可情報の受信がなければ、あらかじめ定める一定時間が経過したか否かを判断し（ＳＴ２４０６）、経過していれば、スタッフ端末６から演技対応不可情報を受信したと見なして、対応する撮像画像情報をストーリ情報に割り当てて（ＳＴ２４０５）、処理を終了し、経過してなければ、ＳＴ２４０３に戻る。
【００８９】
役者担当スタッフ５に課せられる要件情報のうち、演技をする場所に関する場所要件情報については、スタッフ端末６に到着時刻とその到着時間までに目指すべき場所（目的地）を指示する指示情報を送信することによって、役者担当スタッフ５の位置を動かすことも可能である。また、利用者端末２の現在場所情報を取得することによって利用者１のいる場所が把握できれば、役者担当スタッフ５を先回りさせることも容易になる。もちろん、この場合はスタッフ端末６からも同様に現在場所情報を取得しておくとよい。このような指示情報を用いると少ない役者担当スタッフ５を効率よく動かして、低コストで多くの利用者１を楽しませるイベントが提供できるようになる。
【００９０】
図２５は、本発明の実施形態におけるデータベース構造の具体例を説明する説明図である。
【００９１】
同図において、ストーリ情報にはストーリ情報コードがそれぞれ付与され、ストーリ情報を構成する場面情報（に対応する場面情報コード）がストーリに従って順番に記憶されている。場面情報には場面情報コードがそれぞれ付与され、その場面に登場する架空の登場人物を役者担当スタッフ５が演じることを想定してあらかじめ作成された台本情報と、その場面において台本情報に従って架空の登場人物を演じる役者担当スタッフ５の演技をあらかじめ撮像した撮像画像情報とが基本的に記憶されている。必要に応じて、場面情報にふさわしい時間帯を定義する時間帯情報と、役者担当スタッフ５が演技をする場所に関する場所要件情報または演じる役者担当スタッフ５の役柄に関する役柄要件情報で構成される要件情報とが場所情報に付与され、架空の登場人物を演じる役者担当スタッフがいる場所への移動を利用者１に指示する場所移動指示情報も場所情報に付与されていてもよい。
【００９２】
イベント提供システムサーバ３は、スタッフ端末５に送信した台本情報に対して、スタッフ端末５から演技対応不可を示す演技対応不可情報を受信すると、受信した演技対応不可情報が示す場面情報に含まれる撮像画像情報を場面情報コードに基づいてストーリ情報に割り当てる。場面情報に時間帯情報が付与されている場合には、付与された時間帯情報が実際にイベントを提供する時間帯と一致しているか否かを判断し、一致していなかった場合には同様に（時間帯情報が一致しなかった場面情報に含まれる）撮像画像情報を場面情報コードに基づいてストーリ情報に割り当てる。時間帯情報は、屋外の雰囲気が異なる時間帯で区分けされているとよく、具体的には朝方／昼間／夕方／夜間／不特定である。時間帯情報が「不特定」である場合には、実際にイベントを提供する時間帯がいずれであっても一致していると判断する。なお、場面情報に要件情報が付与されている場合については、図２７で説明する。場面情報に（役者担当スタッフ５の居所・居場所へ利用者１を導くための）場面移動指示情報が付与されているならば、役者担当スタッフ５が演技対応可能な場合には、この場所移動指示情報を場面情報コードに基づいてストーリ情報に割り当てておくとよい。
【００９３】
図２６は、本発明の実施形態におけるデータベース構造の具体例を説明する説明図である。
【００９４】
同図は、場所移動指示情報の割り付け方が図２５とは異なる場合を示す。同図において、場所移動指示情報は次の場面情報に利用者１を導く情報であるので、一つ前の場面に撮像画像情報が割り当てられている場合には、その撮像画像情報の後に割り当ててもよい。こうすることによって、図４に示すように撮像画像情報に続いて利用者端末２の情報出力部から出力されるようになる。
【００９５】
図２７は、本発明の実施形態におけるデータベース構造の具体例を説明する説明図である。
【００９６】
同図において、イベント提供システムサーバ３は、場面情報に要件情報が付与されている場合には、付与された要件情報に基づいて役者担当スタッフ情報を検索し、要件情報に該当する（役者担当スタッフ５の持つ）スタッフ端末６の送信アドレス（または役者担当スタッフ情報のＤＢ登録コード）を取得し、該当するスタッフ端末６の送信アドレスが取得できなかった場合には、同様に（検索対象の場面情報に含まれる）撮像画像情報を場面情報コードに基づいてストーリ情報に割り当てる。役者担当スタッフ情報に記憶される場所情報は、スタッフ端末６から受信する現在場所情報の更新に基づいて、その内容を変更してもよい。役柄要件情報が「不問」である場合には、場所要件情報を満たすどの役者担当スタッフ５を選択してもよい。また、役者担当スタッフ５の役柄要件情報は満たすが場所要件情報を満たさなかった場合には、役柄要件情報を満たし、場所要件情報に示す場所に最寄りの（役者担当スタッフ５）の持つスタッフ端末６を抽出して、抽出したスタッフ端末６に台本情報と（役者担当スタッフ５に対する）場所移動指示情報を送信するとよい。
【００９７】
役者担当スタッフ情報に記憶される場所情報の具体例としては、どこにいるかを示す場所やどの辺りにいるかを示す地名、地域（エリア、ゾーン）をコード化したコード化情報である。場所情報がコード化されている場合には、スタッフ端末６から受信する現在場所情報の更新もコード化して記憶するとよい。同様に役柄情報の具体例としては、性別、年代、適した役柄、これまでこなした役柄実績などをコード化したコード化情報である。役柄情報における「年代」は、実年齢に基づく年代ではなく、役柄として対応可能な年代のことである。役者担当スタッフ５のメイキャップ（化粧）や変装などで対応可能であるなら、対応可能な年代としてよい。適した役柄要素の具体例は、「善人っぽい／悪人っぽい／どちらでも対応可能」、「温かそう・親切そう（に見えるタイプ）／冷たそう・不親切そう（に見えるタイプ）／どちらでも対応可能」、「しゃべり上手／しゃべり下手／どちらでも対応可能」であったり、「うわさ好きそう（に見えるタイプ）／うわさ好きそうでない（に見えるタイプ）／どちらでも対応可能」、「おせっかいそう（に見えるタイプ）／おせっかいそうでない（に見えるタイプ）／どちらでも対応可能」であったりする。役柄情報と対応する役柄要件情報は各役柄要素間の相関を整理してコード化情報が体系化されている方が好ましいが、役柄要件情報に応じて必要な役柄要素をあらかじめ用意し、用意した役柄要素のすべてについて役者担当スタッフ５ごとに対応可能か対応不可かをしめすフラグを付与し、付与したフラグをコード化してもよい。
【００９８】
【発明の効果】
以上記載の本発明によれば、イベント提供システムがスタッフ端末を介して役者担当スタッフに送信する台本情報と演技内容が同じ台本情報に従って架空の登場人物を演じる役者担当スタッフの演技をあらかじめ撮像した画像情報を用意し、役者担当スタッフが演技対応不可である場合に、用意した撮像画像情報を利用者端末に送信することによって、イベント提供システムが提供するイベントにおける架空の設定により現実味を持たせることが出来る役者担当スタッフの穴を補うことが出来る。つまり、利用者は役者担当スタッフが手配された場合には（利用者の）目の前で、役者担当スタッフが手配されなかった場合には（利用者端末の情報出力部から出力される）画像によって同じ演技を見ることが出来る。
【００９９】
実在する人を一時的であれ、常時であれ、役者担当スタッフとして活用するために、役者担当スタッフを手配する仕組みと手配できなかった穴を補う仕組みを用意することによって、円滑なイベント運営と均一なイベント品質（役者担当スタッフの都合によって利用者を待たせたり、利用者を混乱させたりしないことがイベント品質の安定であるとも言える）を利用者に提供することが出来る。役者担当スタッフが対応可能な場面が場合によって異なっても、均一なイベント品質による円滑なイベント運営をすることによって、イベント提供システムが提供するイベントが利用され続ける効果も期待できる。逆の言い方をすれば、イベント品質が低下したイベントを一度でも体験した利用者は、二度と利用する気にはなれず、役者担当スタッフを活用して、より現実味を持たせた、せっかくのイベントも利用が促進されずに消えていくことになってしまう。よって、役者担当スタッフの穴を補う撮像画像情報は、利用者をがっかりさせることはなく、イベント品質が維持された、つじつまの合ったイベントを提供することが出来る。
【図面の簡単な説明】
【図１】  本発明の実施形態におけるイベント提供システムを説明する説明図
【図２】  本発明の実施形態における具体例を説明する説明図
【図３】  本発明の実施形態における具体例を説明する説明図
【図４】  本発明の実施形態における具体例を説明する説明図
【図５】  本発明の実施形態におけるイベント提供システムを説明する説明図
【図６】  図５を補足する、本発明の実施形態におけるイベント提供システムを説明する説明図
【図７】  図６を補足する、本発明の実施形態におけるイベント提供システムを説明する説明図
【図８】  本発明の実施形態におけるイベント提供システムサーバのハードブロック図
【図９】  本発明の実施形態における利用者端末のハードブロック図
【図１０】  本発明の実施形態におけるスタッフ端末のハードブロック図
【図１１】  本発明の実施形態におけるイベント提供システムサーバの機能ブロック図
【図１２】  図１１に示す機能ブロック図に対応するイベント提供システムサーバの演算部におけるフローチャート
【図１３】  本発明の実施形態におけるイベント提供システムサーバの機能ブロック図
【図１４】  図１３に示す機能ブロック図に対応するイベント提供システムサーバの演算部におけるフローチャート
【図１５】  本発明の実施形態におけるイベント提供システムサーバの機能ブロック図
【図１６】  図１５に示す機能ブロック図に対応するイベント提供システムサーバの演算部におけるフローチャート
【図１７】  図１１およぶ図１３に示す機能ブロック図に対応するイベント提供システムサーバの演算部におけるフローチャート
【図１８】  本発明の実施形態におけるイベント提供システムサーバの機能ブロック図
【図１９】  本発明の実施形態における利用者端末またはスタッフ端末の機能ブロック図
【図２０】  図１９に示す機能ブロック図に対応する利用者端末またはスタッフ端末の演算部におけるフローチャート
【図２１】  図１９に示す機能ブロック図に対応する利用者端末またはスタッフ端末の演算部におけるフローチャート
【図２２】  図１８に示す機能ブロック図に対応するスタッフ端末およびイベント提供システムサーバ３の演算部におけるフローチャート
【図２３】  図１８に示す機能ブロック図に対応するスタッフ端末およびイベント提供システムサーバ３の演算部におけるフローチャート
【図２４】  本発明の実施形態におけるイベント提供システムサーバの演算部におけるフローチャート
【図２５】  本発明の実施形態におけるデータベース構造の具体例を説明する説明図
【図２６】  本発明の実施形態におけるデータベース構造の具体例を説明する説明図
【図２７】  本発明の実施形態におけるデータベース構造の具体例を説明する説明図
【符号の説明】
１  利用者
２  利用者端末
３  イベント提供システムサーバ
４  イベント情報ＤＢ
４−１  ストーリ情報ＤＢ
４−２  場面情報ＤＢ
５  役者担当スタッフ
６  スタッフ端末
７  場所情報タグ
８  位置情報提供システム
９  パスゲート
１０  情報記憶媒体
２０  役者担当スタッフ情報ＤＢ
【図１】
0003666493.tif 000002
【図２】
0003666493.tif 000003
【図３】
0003666493.tif 000004
【図４】
0003666493.tif 000005
【図５】
0003666493.tif 000006
【図６】
0003666493.tif 000007
【図７】
0003666493.tif 000008
【図８】
0003666493.tif 000009
【図９】
0003666493.tif 000010
【図１０】
0003666493.tif 000011
【図１１】
0003666493.tif 000012
【図１２】
0003666493.tif 000013
【図１３】
0003666493.tif 000014
【図１４】
0003666493.tif 000015
【図１５】
0003666493.tif 000016
【図１６】
0003666493.tif 000017
【図１７】
0003666493.tif 000018
【図１８】
0003666493.tif 000019
【図１９】
0003666493.tif 000020
【図２０】
0003666493.tif 000021
【図２１】
0003666493.tif 000022
【図２２】
0003666493.tif 000023
【図２３】
0003666493.tif 000024
【図２４】
0003666493.tif 000025
【図２５】
0003666493.tif 000026
【図２６】
0003666493.tif 000027
【図２７】
0003666493.tif 000028